(57)【要約】【課題】  従来のテレビジョン受像機１台で、異なる複数の映像を同時にみるには、画面が小さくなったり、一部が重なって隠れてしまうという問題があった。【解決手段】各種入力映像の中から、映像セレクターで選択した複数の映像を高速で順番に表示するテレビジョン受像機と、その複数の映像の中からタイミングセレクターで選択した映像が表示された時のみ同期して開く開閉シャッターを備えたシャッターメガネにより装置を構成する。【選択図】図１
2014230266.tif 000002
【特許請求の範囲】
【請求項１】
複数の映像を合成して順番に高速で表示出来るテレビジョン受像機と、その表示の順番を設定するための映像セレクター、表示された複数の映像から指定した映像が表示されたタイミングの間だけテレビジョン受像機と同期してシャッターを開くことが出来るシャッターメガネ、設定された複数の映像表示のタイミングからシャッターの開閉タイミングを選択するタイミングセレクターで構成したことを特徴とするマルチビジョン装置
【請求項２】
開閉シャッターをスタンドに設置したことを特徴とする請求項１記載のマルチビジョン装置。
【発明の詳細な説明】
【技術分野】
【０００１】  一般家庭で複数の人が、異なった映像を同時に楽しめ、１台のテレビジョン受像機で複数台とほぼ同等の機能を有するマルチビジョン装置に関する。
【背景技術】
【０００２】  従来のテレビジョンでは、同一の画面に複数の映像を表示して複数の人が別々の映像を見る方法としては、画面を複数に分割して各々を表示したり、主画面（親画面）の映像の中に他の画面（子画面）をはめ込むなどの方法がある。（例えば、特許文献１、特許文献２参照。）【０００３】  また、一人の人の左眼用と右眼用で視差のある２種類の映像を同一画面上に高速で交互に表示してシャッターメガネを介して立体映像として見る表示方法がある。（例えば、特許文献３参照。）【０００４】  以下、図３、図４、図５により従来の同種テレビジョンについて説明する。図３には画面を分割して夫々異なる映像を画面Ａ、Ｂ，Ｃとして表示している。また、図４では親画面Ａ内の任意の位置に、異なる映像の子画面Ｂ，Ｃを表示している。【０００５】  図５では、画面に左眼用ＡＬと右眼用ＡＲの視差のある２種類の映像を高速で交互に表示している。【０００６】  図５の画面に交互に表示した映像は、両眼用夫々に開閉シャッターを付けたメガネを用いて左眼用映像を表示した時は左眼用シャッターを開き、右眼用映像を表示した時は右眼用シャッターを開き夫々反対側のシャッターを閉じる。それを交互に繰り返すことによって左右の眼に視差のある映像を写し立体映像として認識出来る。
【先行技術文献】
【特許文献】
【０００７】
【特許文献１】特開２０１３−３３１７２号  公報
【０００８】
【特許文献２】特開平５−３１６４４７号  公報
【０００９】
【特許文献３】特許第３５２０５８０号  公報
【発明の概要】
【発明が解決しようとする課題】
【００１０】  以上に述べた従来のテレビジョンでは、一般家庭で複数の人が１台のテレビジョンの前に集まって映像を見る時、多くの場合人によって見たい映像が異なる。そのように複数の映像を表示して見たい場合に、画面を分割してテレビジョンの表示能力よりも小さな画面で見るか、子画面をはめ込んで一部欠けた画面で見なければならなかった。それでは隣り合わせて表示された他の画面が目障りで集中できないなどの欠点があった。【００１１】  また、従来の特許文献３に記載されたフレームシーケンシャル方式などのように画面の表示能力一杯に画面表示するテレビジョンはあるが、表示されるのは同一の映像を立体視するための視差のある２種類の映像のみで一つは左眼用、もう一つは右眼用が高速で交互に表示される。二つの映像を分離するメガネも左眼部分は左眼専用、右眼部分は右眼専用であり交互にシャッターを開閉して映像を立体視するためのものである。従って、他の人と異なった映像を問題なく見たい場合は、複数のテレビジョンを備えて別の画面でみるしかないという課題があった。【００１２】  本発明は、このような従来の構成での課題を解決し、新しいテレビジョンを実現することを目的とするものである。
【課題を解決するための手段】
【００１３】  本発明は、上記目的を達成するために多数の入力映像の中から映像セレクターで選択した複数の映像をテレビジョン受像機の画面に決められた順番で高速に表示する。【００１４】  見る人が好みの映像を見るには、開閉シャッターをつけたメガネ等を使ってその映像が表示された瞬間のみシャッターが開き、他の映像が表示された瞬間にはシャッターを閉じるようにタイミングセレクターで選択する。【００１５】  開閉シャッターは左右両眼同じタイミングで開閉するので、メガネ状でもスタンド状でも左右一体のものでよい。【００１６】  以上の構成から、夫々の人が選択した映像を他の映像に妨げられる事無く、あたかも、１台のテレビジョン受像機を占有するかのように、見ることが出来る。
【発明の効果】
【００１７】  上述したように、本発明のマルチビジョン装置では異なる数種類の映像を高速で順次タイミングをずらして表示して、複数の人が夫々開閉シャッターで見たい映像を選択して見ることが出来る。それにより、１台で複数の人が夫々異なる映像を見ることが出来るテレビジョン受像機を提供出来る。
【図面の簡単な説明】
【００１８】
【図１】本発明のマルチビジョン装置の実施例の構成図である。
【図２】テレビジョン受像機に３種の映像Ａ，Ｂ，Ｃを表示する順番を例示する説明図である。
【図３】従来のテレビジョン受像機で画面を３分割して３つの映像（Ａ，Ｂ，Ｃ）を表示する例を示す。
【図４】従来のテレビジョン受像機で親画面（Ａ）の上に２つの子画面（Ｂ，Ｃ）を表示する例を示す。
【図５】従来のテレビジョン受像機で視差のある２つの映像（ＡＬ，ＡＲ）を時間差で交互に表示する例を示す。
【図６】開閉シャッターをスタンド式にした例である。
【発明を実施するための形態】
【００１９】  以下、本発明のマルチビジョン装置を用いて３人の人が夫々異なる３種類の映像を同一画面で見る場合の実施形態について、図１〜図２に基つ゛いて説明する。
【００２０】  図において、１は選択した３種類の入力映像を設定された順番に従って高速で順次画面に表示する機能を備えたテレビジョン受像機である。
【００２１】  映像は動画として認識出来る速度で順次に切り替わって表示される。
【００２２】  映像を順番に設定するには映像セレクター２を使用する。
【００２３】  表示を設定出来る映像の数は、装置内に決めてあってもよいし、必要に応じて任意に設定する方法もある。
【００２４】  ３Ａ，３Ｂ，３Ｃは開閉シャッター４Ａ，４Ｂ，４Ｃを備えたシャッターメガネで夫々はテレビジョン１に表示された３種類の映像のうち、希望する任意の映像を選択して同期設定するためのタイミングセレクター５を備える。
【００２５】  シャッターはメガネのように顔に装着してもよいし、図６の様に開閉シャッター６とタイミングセレクター５を備えたスタンドにしてもよい。
【００２６】  映像セレクターやタイミングセレクターは、本例で示した様にテレビジョン受像機やメガネと一体化する必要は無く別に設置しても良い。
【産業上の利用可能性】
【００２７】  本発明は、例えば、親子で一緒に違うテレビ番組を見るなど、１台のテレビジョンで複数台のテレビジョンとほぼ同等に複数の人が別の映像を見ることが出来る。
【符号の説明】
【００２８】１  テレビジョン受像機
２  映像セレクター
３Ａ  シャッターメガネＡ
３Ｂ  シャッターメガネＢ
３Ｃ  シャッターメガネＣ
４Ａ  開閉シャッターＡ
４Ｂ  開閉シャッターＢ
４Ｃ  開閉シャッターＣ
５  タイミングセレクター
６  シャッタースタンド
７  開閉シャッター
【図１】
2014230266.tif 000003
【図２】
2014230266.tif 000004
【図３】
2014230266.tif 000005
【図４】
2014230266.tif 000006
【図５】
2014230266.tif 000007
【図６】
2014230266.tif 000008